(57)【要約】【課題】ステンレス製品、プラスチック製品、磁器製品などの洗浄対象物の表面を洗浄及び磨くことに加えて洗浄対象物の表面をコーティング及び抗菌をすることができる抗菌機能を有する洗浄用具を提供するものである。【解決手段】抗菌機能を有する洗浄用具１０は、マイクロファイバー１１と混錬部材１２を有しており、混錬部材１２は、複数の素材を攪拌により接触させ、攪拌された複数の素材が、バインダーを用いて混錬されることにより形成される。混錬部材１２の複数の素材は、フッ素粉体、炭酸カルシウム、タルクの微粉体及び抗菌機能を有する無機銀系抗菌剤微粉体であり、また、バインダーは、アクリル弾性樹脂エマルジョンである。抗菌機能を有する洗浄用具１０は、繊維の一例であるマイクロファイバー１１に含侵され、攪拌され、固着乾燥されることにより形成される。【選択図】図１
0003226321.tif 000002
【実用新案登録請求の範囲】
【請求項１】
洗浄対象物の表面を、洗浄、磨き、コーティング及び抗菌をするように形成されている抗菌機能を有する洗浄用具であって、
繊維と混錬部材を有し、
前記混錬部材は、複数の素材を攪拌により接触させ、前記攪拌された前記複数の素材が、バインダーを用いて混錬されており、
前記繊維は、前記混錬されている混錬部材が、含侵され、攪拌され、固着乾燥されていることを特徴とする抗菌機能を有する洗浄用具。
【請求項２】
前記混錬部材の複数の素材は、フッ素粉体、炭酸カルシウム、タルクの微粉体及び無機銀系抗菌剤微粉体であり、前記バインダーは、アクリル弾性樹脂エマルジョンであることを特徴とする請求項１に記載の抗菌機能を有する洗浄用具。
【請求項３】
前記繊維は、マイクロファイバーであることを特徴とする請求項1または請求項２に記載の抗菌機能を有する洗浄用具。
【請求項４】
前記洗浄対象物は、ステンレス製品、プラスチック製品、メッキが施された製品、塗装が施された製品または磁器製品であることを特徴とする請求項１から請求項３のいずれかに記載の抗菌機能を有する洗浄用具。
【請求項５】
前記洗浄、磨き、コーティング及び抗菌は、水が含まれることにより行われることを特徴とする請求項１から請求項４のいずれかに記載の抗菌機能を有する洗浄用具。
【考案の詳細な説明】
【技術分野】
【０００１】
本考案は、抗菌機能を有する洗浄用具に関する。
【背景技術】
【０００２】
ステンレス製品、プラスチック製品、磁器製品などの洗浄対象物の表面を洗浄するための洗浄器具において、洗浄及び磨きを主に行うものが普及している。
【先行技術文献】
【特許文献】
【０００３】
【特許文献１】実登３０７２４８２号公報
【考案の概要】
【考案が解決しようとする課題】
【０００４】
従来のステンレス製品、プラスチック製品、磁器製品などの洗浄対象物の表面を洗浄するための洗浄用具は、上記のとおり洗浄及び磨きを主に、行うものであり、これらの機能に加え、プラスチック製品、磁器製品などの洗浄対象物の表面をコーティング及び抗菌を行うことができる洗浄器具が求められていた。
【０００５】
そこで本考案は、このような課題を解決するためになされたもので、ステンレス製品、プラスチック製品、磁器製品などの洗浄対象物の表面を洗浄及び磨くことに加えて洗浄対象物の表面をコーティング及び抗菌をすることができる抗菌機能を有する洗浄用具を提供するものである。
【課題を解決するための手段】
【０００６】
上記課題を解決するために、本考案に係る抗菌機能を有する洗浄用具は、洗浄対象物の表面を、洗浄、磨き、コーティング及び抗菌をするように形成されている抗菌機能を有する洗浄用具であって、繊維と混錬部材を有し、
前記混錬部材は、複数の素材を攪拌により接触させ、前記攪拌された前記複数の素材が、バインダーを用いて混錬されており、前記繊維は、前記混錬されている混錬部材が、含侵され、攪拌され、固着乾燥されていることを特徴とする。
【０００７】
本考案に係る抗菌機能を有する洗浄用具の態様について、前記混錬部材の複数の素材は、フッ素粉体、炭酸カルシウム、タルクの微粉体及び無機銀系抗菌剤微粉体であり、前記バインダーは、アクリル弾性樹脂エマルジョンであることが好ましい。
【０００８】
本考案に係る抗菌機能を有する洗浄用具の態様について、前記繊維は、マイクロファイバーであることが好ましい。
【０００９】
本考案に係る抗菌機能を有する洗浄用具の態様について、前記洗浄対象物は、ステンレス製品、プラスチック製品、メッキが施された製品、塗装が施された製品または磁器製品であることが好ましい。
【００１０】
本考案に係る抗菌機能を有する洗浄用具の態様について、前記洗浄、磨き、コーティング及び抗菌は、水が含まれることにより行われることが好ましい。
【考案の効果】
【００１１】
本考案によれば、ステンレス製品、プラスチック製品、磁器製品などの洗浄対象物の表面を洗浄及び磨くことに加えて洗浄対象物の表面をコーティング及び抗菌をすることができる抗菌機能を有する洗浄用具を提供することができる。
【図面の簡単な説明】
【００１２】
【図１】実施形態の抗菌機能を有する洗浄用具の一例を示す模式図である。
【考案を実施するための形態】
【００１３】
以下、本考案の実施形態を、図１を用いて説明する。
【００１４】
本考案の実施形態である抗菌機能を有する洗浄用具１０は、洗浄対象物の表面を、洗浄、磨き、コーティング及び抗菌をするように形成されている抗菌機能を有する洗浄用具である。
【００１５】
抗菌機能を有する洗浄用具１０は、繊維の一例であるマイクロファイバー１１と混錬部材１２を有している。混錬部材１２は、複数の素材を攪拌により接触させ、攪拌された複数の素材が、バインダーを用いて混錬されることにより形成される。
【００１６】
混錬部材１２の複数の素材は、例えば、フッ素粉体、炭酸カルシウム、タルクの微粉体及び無機銀系抗菌剤微粉体であるが、これは一例であり適宜最適な複数の素材を選択すればよい。また、バインダーは、一例としてアクリル弾性樹脂エマルジョンであるが、これに限定されず適宜最適なバインダーを選択すればよい。なお、上記のとおり繊維は、この例においてマイクロファイバー１１であるが、これに限定されず適宜最適なものを選択すればよい。
【００１７】
上記の構成を有する抗菌機能を有する洗浄用具１０は、複数の素材がバインダーを用いて混錬されている混錬部材１２が、繊維の一例であるマイクロファイバー１１に含侵され、攪拌され、固着乾燥されることにより形成される。
【００１８】
抗菌機能を有する洗浄用具１０により洗浄などされる洗浄対象物は、ステンレス製品、プラスチック製品、メッキが施された製品、塗装が施された製品または磁器製品などであるが、抗菌機能を有する洗浄用具１０は、これらに限定されず適宜最適な洗浄対象物に用いることができる。
【００１９】
抗菌機能を有する洗浄用具１０の使用は、洗浄、磨き、コーティング及び抗菌において、水が含まれることにより行われることが望ましく、このようにすることにより、マイクロファイバー１１に少量の水が含まれることになり、あらゆる汚れを拭き取りその摺動によりフッ素樹脂及び銀系抗菌剤がクリープ（ゆっくり動く）作用により相手面に極薄くコートさせツヤ出し効果、防汚、抗菌効果などを持続させることができる。
【００２０】
抗菌機能を有する洗浄用具１０の混錬部材１２に用いられる複数の部材のそれぞれは、フッ素粉体は、金属、ガラスなどの表面を保護する膜としてのコーティング機能を有するものであり、炭酸カルシウム及びタルクの微粉体は、研磨剤としての機能も有するものであり、また、無機銀系抗菌剤微粉体は、対象物に放出された抗菌金属イオンが微生物に拡散して細胞膜などのタンパク成分と結合して微生物を消滅させるという効果を有している。
【００２１】
また、抗菌機能を有する洗浄用具１０は、バインダーとしての弾性（エラストマー）樹脂は、さらにしつこい汚れに対しても強力に働き細かな汚れにも、例えば、マイクロクロスで取り除くことができるものであり、このようにしてあらゆる汚れをきれいに落しその摺動時にフッ素樹脂銀系イオン抗菌剤を対象面に極微量コートさせ、しかも効果を持続させることができる優れたものである。さらに抗菌機能を有する洗浄用具１０は、上記の構成において、このようなシステムでの製品は今までに市場にはなく、このようにして清掃された対象面には、カビ、細菌などの増殖及び発生を長く抑制することができるという顕著な効果を有している。
【００２２】
抗菌機能を有する洗浄用具１０の特徴を以下に整理する。銀・無機抗菌剤・フッ素樹脂・アクリル樹脂及びレベリング剤と共にエマルジョン化しており、均一・分散し、マイクロファイバーに含侵固化している。超極細繊維に弾性素材樹脂加工でグリップ力を高め、どんな細かな汚れも取り除き、同時に持続性のある抗菌防汚加工ができる。銀系抗菌剤・フッ素樹脂等と一体粉体化により、清掃毎にクリープ効果（フッ素樹脂・銀系抗菌剤が相手素材面に移行する）で抗菌効果及びキレイが長く続く。潤滑性に優れ、汚れ・キズ・サビなどが付きにくく取れやすくなる。銀イオンによる抗菌剤は安全性が高く、あらゆる面の汚れを落とし抗菌に使用できる。マイクロファイバーの繊維は丈夫で、繰り返し洗浄して使用できる。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２４】
また、本考案の抗菌機能を有する洗浄用具の大きさや形状、素材の厚さ、重さなどについては多様な実施形態が可能であり、それらについて本実施形態と異なる形態による実施は、本考案の技術的範囲に含まれる。
【符号の説明】
【００２５】
１０      抗菌機能を有する洗浄用具
１１      マイクロファイバー
１２      混錬部材
【図１】
0003226321.tif 000003